【手続補正書】
【提出日】平成15年8月13日(2003.8.13)
【手続補正１】
【補正対象書類名】明細書
【補正対象項目名】特許請求の範囲
【補正方法】変更
【補正の内容】
【特許請求の範囲】
【請求項１】
搬送対象物がどのように流れるかを示す物流情報を収集する物流情報収集方法であって、
電波を受信し、受信信号に基づいて、所在位置を示す位置情報を取得すると共に、取得した位置情報を位置履歴情報として順次記録する位置履歴記録装置を、搬送対象物と共に移動可能な状態で作動させ、電波信号を受信して位置情報を順次取得し、位置履歴情報として記録することを特徴とする物流情報収集方法。
【請求項２】
請求項１に記載の物流情報収集方法において、
前記搬送対象物の位置情報の取得を特定タイミングで行うことを特徴とする物流情報収集方法。
【請求項３】
請求項２に記載の物流情報収集方法において、
前記位置履歴記録装置として、日付を含む時刻を示す時刻情報を取得する機能を備えるものを用い、該位置履歴記録装置により、当該搬送対象物の位置情報を特定のタイミングで取得すると共に、その時点の時刻情報を取得して、前記取得した位置情報と時刻情報とを関連付けて位置履歴情報として記録することを特徴とする物流情報収集方法。
【請求項４】
請求項２および３のいずれか一項に記載の物流情報収集方法において、
前記位置履歴記録装置として、加速度検知器を有するものを用い、該加速度検知器が一定レベル以上の加速度の変化を検知することを条件に、前記位置情報を取得する特定タイミングを決定することを特徴とする物流情報収集方法。
【請求項５】
請求項１、２、３および４のいずれか一項に記載の物流情報収集方法において、
前記位置履歴記録装置により取得される位置情報が示す位置が、前回取得した位置情報が示す位置に対して予め定めた範囲内となる位置を示している場合、当該取得した位置情報については記録を追加しないことを特徴とする物流情報収集方法。
【請求項６】
請求項１、２、３、４および５のいずれか一項に記載の物流情報収集方法において、
搬送対象物と共に移動可能な状態は、前記位置履歴記録装置が搬送対象物と共に梱包された状態であることを特徴とする物流情報収集方法。
【請求項７】
当該装置が置かれている位置を示す情報を取得して順次記録する位置履歴記録装置であって、
電波を受信し、受信信号に基づいて、所在位置を示す位置情報を取得する手段と、
記録媒体を有し、前記取得した位置情報を位置履歴情報として前記記録媒体に順次記録する手段と、
読み出し要求を受け付け、前記記録された位置履歴情報を出力する手段と、
電源を有し、該電源から前記各手段を駆動するための電力を供給する手段と
を有することを特徴とする位置履歴記録装置。
【請求項８】
請求項７に記載の位置履歴記録装置において、
前記位置情報を取得するタイミングを決める特定タイミング信号を生成する手段をさらに備え、
前記位置情報を取得する手段は、前記生成される特定タイミング信号で、前記位置情報を取得することを特徴とする位置履歴記録装置。
【請求項９】
請求項８に記載の位置履歴記録装置において、
前記特定タイミング信号を生成する手段は、日付を含む時刻を示す時刻情報をさらに生成し、
前記記録する手段は、前記取得した位置情報と、前記生成される、その時点の時刻情報とを関連付けて位置履歴情報として記録することを特徴とする位置履歴記録装置。
【請求項１０】
請求項７、８および９のいずれか一項に記載の位置履歴記録装置において、
前記記録する手段は、前記取得される位置情報が、引き続いて２回以上、それらの位置の差が予め定めた範囲内となる位置を示している場合、２回目以降に取得された位置情報については記録を追加しないことを特徴とする位置履歴記録装置。
【請求項１１】
請求項８、９および１０のいずれか一項に記載の位置履歴記録装置において、
前記特定タイミング信号を生成する手段は、加速度検知器を有し、該加速度検知器の出力が一定レベル以上の加速度の変化を示す場合に、前記特定タイミング信号を生成して出力することを特徴とする位置履歴記録装置。
【請求項１２】
当該装置が置かれている位置を示す情報を取得する物流情報収集装置であって、
電波を受信し、受信信号に基づいて、所在位置を示す位置情報を取得する位置情報取得装置と、
前記位置情報取得装置と接続され、予め特定の送信先の電話番号情報を記憶しているセルラー方式無線通信端末とを有し、
前記位置情報取得装置は、位置情報を取得すると、前記セルラー方式無線端末を起動し、前記位置情報を前記特定の送信先に送信させること
を特徴とする物流情報収集装置。
【請求項１３】
当該装置が置かれている位置を示す情報を取得する物流情報収集装置であって、
電波を受信し、受信信号に基づいて、所在位置を示す位置情報を取得すると共に、前記取得した位置情報を位置履歴情報として記録媒体に順次記録する位置情報取得装置と、
前記位置情報取得装置と接続され、予め特定の送信先の電話番号情報を記憶しているセルラー方式無線通信端末とを有し、
前記セルラー方式無線通信端末は、無線による位置情報問い合わせを受信すると、前記位置情報取得装置に記憶されている位置履歴情報を出力させ、得られた位置履歴情報を前記特定の送信先に送信すること
を特徴とする物流情報収集装置。
【請求項１４】
当該装置が置かれている位置を示す情報を取得する物流情報収集装置であって、
電波を受信し、受信信号に基づいて、所在位置を示す位置情報を取得すると共に、前記取得した位置情報を位置履歴情報として記録媒体に順次記録する位置情報取得装置と、
前記位置情報取得装置と接続され、予め特定の送信先の電話番号情報を記憶しているセルラー方式無線通信端末とを有し、
前記セルラー方式無線通信端末は、一定時間毎に、前記位置情報取得装置に記憶されている位置履歴情報を出力させ、得られた位置履歴情報を前記特定の送信先に送信すること
を特徴とする物流情報収集装置。
【請求項１５】
請求項１２、１３および１４のいずれか一項に記載の物流情報収集装置において、
前記位置情報取得装置は、位置情報を取得するタイミングを決める特定タイミング信号を生成する手段を有し、生成される特定タイミング信号で、前記位置情報を取得することを特徴とする物流情報収集装置。
【請求項１６】
当該装置が置かれている位置を示す情報を取得する物流情報収集装置であって、
電波を受信し、受信信号に基づいて、所在位置を示す位置情報を取得する位置情報取得装置と、
前記位置情報取得装置と接続され、予め特定の送信先の電話番号情報を記憶しているセルラー方式無線通信端末とを有し、
前記セルラー方式無線通信端末は、無線による位置情報問い合わせを受信すると、前記位置情報取得装置を起動して、位置情報を取得させ、得られた位置情報を前記特定の送信先に送信すること
を特徴とする物流情報収集装置。
【請求項１７】
請求項１２、１３、１４、１５および１６のいずれか一項に記載の物流情報収集装置において、
前記位置情報取得装置は、ＧＰＳ衛星群からの電波を受信して、位置情報、および、日付を含む時刻を示す時刻情報を取得して、前記取得した位置情報と時刻情報とを関連付けて、前記セルラー方式無線通信端末に前記特定送信先に送信させることを特徴とする物流情報収集装置。
【請求項１８】
製品と、それを収容した梱包材とを有する梱包体において、
請求項７、８、９、１０および１１のいずれか一項に記載の位置履歴記録装置を、前記製品と共に、梱包材中に収容することを特徴とする梱包体。
【請求項１９】
通信網と接続され、情報の授受を行う機能を有する電子機器において、
前記情報の授受を行う機能を実現する通信処理装置と、
前記通信処理装置と接続可能に設けられる、請求項７、８、９、１０および１１のいずれか一項に記載の位置履歴記録装置とを有し、
前記位置履歴記録装置は、前記記録媒体にメールアドレスを予め記憶し、
前記通信処理装置は、メール送受信処理を行う手段を有し、該メール送受信処理を行う手段は、前記位置履歴記録装置の記録媒体に記録されるメールアドレスと、位置履歴情報とを読み出し、位置履歴情報を送信内容として含む、読み出したメールアドレス宛のメールを生成し、送信指示を受け付けると、当該メールを送信することを特徴とする電子機器。
【請求項２０】
搬送対象物に関する物流情報を取得する物流情報収集方法であって、
電波を受信し、受信信号に基づいて、所在位置を示す位置情報を取得する位置情報取得装置と、前記位置情報取得装置と接続され、予め特定の送信先の電話番号情報を記憶しているセルラー方式無線通信端末とが、搬送対象物と共に梱包された状態にある場合に、前記セルラー方式無線通信端末に対し、無線による位置情報問い合わせを送信して、前記位置情報取得装置を起動して、位置情報を取得させ、得られた位置情報を送信させ、受信した位置情報を記憶装置に蓄積することを特徴とする物流情報収集方法。
【請求項２１】
請求項２０に記載の物流情報収集方法において、
前記位置情報取得は、ＧＰＳ衛星群からの電波を受信して行うことを特徴とする物流情報収集方法。
【請求項２２】
請求項２１に記載の物流情報収集方法において、
前記位置情報取得に際し、ＧＰＳ衛星群からの電波を受信して、日付を含む時刻を示す時刻情報をさらに取得して、前記取得した位置情報と時刻情報とを関連付けて送信することを特徴とする物流情報収集方法。